(57)【特許請求の範囲】
【請求項１】
鼓膜に与えられる音響信号を測定し，補正または調整するための手段を含む補聴器であって，
少なくとも一個のマイクロホン（１），
上記マイクロホン（１）からの出力信号を，少なくとも補聴器使用者の難聴の程度にしたがって処理する少なくとも一個のディジタル信号プロセッサ（２）を含むディジタル信号処理システム，
上記ディジタル信号プロセッサ（２）からの出力信号に基づいて，補聴器使用者の鼓膜正面に現れる音響信号を生成する少なくとも一個のレシーバ（３），および
上記レシーバ（３）によって鼓膜の正面に現れた音響信号を検出する少なくとも一個のプローブ・マイクロホン（４）を備え，
上記ディジタル信号処理システムは，
上記マイクロホン（１）の出力信号に基づいて，鼓膜の正面に現れるべき音響信号を表す参照信号を生成する参照信号プロセッサ（６），
上記プローブ・マイクロホン（４）によって検出された音響信号と，上記参照信号プロセッサ（６）によって生成された参照信号を比較し，これらの信号間に差がある場合にエラー信号を出力する比較手段（５），ならびに
上記比較手段（５）から出力されたエラー信号が許容範囲内の値かどうかを決定し，許容範囲外である場合に，上記ディジタル信号プロセッサ（２）の伝達特性を変更することによって，上記レシーバ（３）が生成する音響信号を上記参照信号に近似させる補正プロセッサ（７），
を備えている補聴器。
【請求項２】
上記補正プロセッサ（７）は，上記レシーバ（３）と上記プローブ・マイクロホン（４）との間の伝達関数にしたがって，上記参照信号プロセッサ（６）が生成する参照信号を調整するものである，請求項１に記載の補聴器。
【請求項３】
上記ディジタル信号プロセッサ（２）の出力信号と上記比較手段（５）から出力されるエラー信号との差を算出し，エラー信号が減少させられた出力信号を上記レシーバ（３）に与える補正手段（８）を備えている，請求項１または２に記載の補聴器。
【請求項４】
上記参照信号プロセッサ（６）は，上記ディジタル信号プロセッサ（２）によって処理された後の上記マイクロホン（１）の出力信号に基づいて，上記参照信号を生成するものである，請求項１から３のいずれか一項に記載の補聴器。
【請求項５】
上記プローブ・マイクロホン（４）と上記比較手段（５）の間に，少なくとも上記プローブ・マイクロホン（４）の特性を補正するプローブ信号プロセッサ（９）が設けられている，
請求項１から４のいずれか一項に記載の補聴器。
【請求項６】
鼓膜に与えられる音響信号を測定し，補正または調整するための手段を含む補聴器の制御方法であって，
上記補聴器は，
少なくとも一個のマイクロホン（１），
上記マイクロホン（１）から出力される音響信号を，少なくとも使用者の難聴の程度にしたがって処理する少なくとも一個のディジタル信号プロセッサ（２）を含む少なくとも一個のディジタル信号処理システム，
上記ディジタル信号プロセッサ（２）の出力信号から，使用者の鼓膜正面に現れる音響信号を生成する少なくとも一個のレシーバ（３），および
上記レシーバ（３）によって鼓膜の正面に現された音響信号を検出する少なくとも一個のプローブ・マイクロホン（４）を備えており，
上記ディジタル信号処理システムにおいて，
参照信号プロセッサ（６）が，上記マイクロホン（１）から出力される音響信号に基づいて，鼓膜の正面に現れるべき音響信号を表す参照信号を生成し，
比較手段（５）が，上記プローブ・マイクロホン（４）によって検出された鼓膜の正面に現れた音響信号と，上記参照信号プロセッサ（６）によって生成された参照信号を比較し，これらの信号間に差がある場合にエラー信号を出力し，
補正プロセッサ（７）が，上記比較手段（５）から出力されたエラー信号が許容範囲内の値かどうかを決定し，許容範囲外である場合に上記ディジタル信号プロセッサ（２）の伝達特性を変更することによって，上記レシーバ（３）が生成する音響信号を上記参照信号に近似させる，
補聴器の制御方法。
【発明の詳細な説明】
【０００１】
本発明は，使用者の鼓膜に与えられる音響（音声）信号を改善するための方法またはプロセスに関し，特に，請求項１の前文に記載の方法に関する。
【０００２】
この種類の測定と補正は，少なくとも部分的には従来技術により知られている。
【０００３】
ドイツ公報DE 28 08 516に開示された補聴器は，レシーバ（受話器）に加えて，望ましくは単一の装置としての測定用マイクロホンを含み，測定用マイクロホンは，線形および／または非線形ひずみの補償のために使用可能な対応信号を鼓膜正面の耳管内で展開する。プローブ・マイクロホンからの信号の瞬時値は前置増幅器のひずみのない出力信号と，差動増幅器で比較され，補正値が生成され，それは出力増幅器の入力信号に加えられ，この結果，レシーバから正しい出力信号が得られる。
【０００４】
米国特許4,596,902 はプロセッサ制御の補聴器を開示しているが，ここでは，耳孔内にフィードバック・マイクロホンが置かれ，それは鼓膜の正面における実際の音圧レベルの周波数スペクトルを示す制御信号を生成する。鼓膜の正面における実際の音圧レベルの平均値が，メモリに記憶された所定の参照命令群に従った全出力に対する所望のレベルと，プロセッサによって比較される。これにより，プロセッサは，チャネル増幅器と出力増幅器とを制御して，鼓膜の正面の耳孔における所望の音圧レベルを生成する。
ドイツ公報DE 41 28 172は補聴器を開示しているが，それは入力トランスデューサと，出力トランスデューサと，これらの入力トランスデューサと出力トランスデューサとの間に接続され，入力トランスデューサ信号をディジタル信号処理するためのマイクロプロセッサとを含む。ディジタル信号処理のプロセッサ伝達関数はEEPROMに記憶される。補聴器はさらに，耳孔内の実際の音圧レベルを検出するためのテスト手段を含む。補聴器は，補聴器モードと測定モードの明確に異なる２つのモードで動作する。実際の動作モードは使用者によって選択され得る。測定モードでは，マイクロプロセッサは階段状に高くなる音量の異なるトーンのシーケンスを生成し，検出手段は，その結果耳孔内で得られる音圧レベルを検出する。測定された音圧レベルは，記憶されていた所定のレベルと比較され，これで判定されたレベル差に応答して，上記レベルを表す伝達特性の記憶パラメータが補正される。したがって，補正はリアルタイムには行われ得ない。
スイス公報CH 678 692 Aは補聴器を着けた人間の耳の個々の音響的特性を決定するための方法と装置を開示する。この装置はマイクロホンを持つ耳内補聴器と，増幅器と，スピーカとを含む。補聴器はさらに，現場で音響的特性を決定するために，スピーカから出される音を検出するための検出マイクロホンを含む。一つの実施例では，スピーカはスピーカの動作とマイクロホンの動作を交互に行う。
【０００５】
したがって，本発明の目的は，上記の種類の新規な方法またはプロセスを創作し開発することにある。これによれば，上記のような測定および補正がほぼリアルタイムに実行可能である。本発明の目的は，上記の方法を用いてエラー信号を生成させ，このエラー信号を，鼓膜の正面に与えられる音響信号をリアルタイムで補正または調整するために使用すること，また，耳孔の音響出口と鼓膜との間の支配的環境の瞬時変化に対して耳孔内の音響信号の調整を容易にすることにある。
【０００６】
鼓膜に与えられる音響（音声）信号を補聴器の動作位置において補聴器によって測定し，補正または調整するこの新規な方法においては，上記補聴器は，少なくとも一個のマイクロホン，上記マイクロホンから出力される音響信号を，少なくとも使用者の難聴の程度にしたがって処理する少なくとも一個のディジタル信号プロセッサを含む少なくとも一個のディジタル信号処理システム，上記ディジタル信号プロセッサの出力信号から，使用者の鼓膜正面に現れる音響信号を生成する少なくとも一個のレシーバ，および上記レシーバによって鼓膜の正面に現された音響信号を検出する少なくとも一個のプローブ・マイクロホンを備えている。上記方法は鼓膜の正面に現れるべき音響信号を表す参照信号を使用するものである。上記方法は，上記ディジタル信号処理システムにおいて，参照信号プロセッサが，上記マイクロホンから出力される音響信号に基づいて，鼓膜の正面に現れるべき音響信号を表す参照信号を生成し，比較手段が，上記プローブ・マイクロホンによって検出された鼓膜の正面に現れた音響信号と，上記参照信号プロセッサによって生成された参照信号を比較し，これらの信号間に差がある場合にエラー信号を出力し，補正プロセッサが，上記比較手段から出力されたエラー信号が許容範囲内の値かどうかを決定し，許容範囲外である場合に上記ディジタル信号プロセッサの伝達特性を変更することによって，上記レシーバが生成する音響信号を上記参照信号に近似させることを特徴とするものである。
【０００７】
特に有利なことは，全ての動作がディジタル的に実行されるならば，システムの全ての要素または殆ど全ての要素の大規模集積化が可能となる。
【０００８】
本発明の他の利点は，特許請求の範囲の請求項および以下の説明から明らかとなろう。
【０００９】
本発明を，添付図面に示されたいくつかの実施例に関して詳述する。
【００１０】
【実施例】
図１に概念的に示される補聴器において，使用者の周囲の環境を支配する音響学的音圧は補聴器の入力トランスデューサ，ここではマイクロホン１によって捕捉される。マイクロホン１の出力信号は処理システムに，望ましくは，本発明に従って動作し，少なくとも一個のディジタル信号プロセッサ２を含むディジタル信号処理システムに与えられる。ディジタル信号プロセッサ２は，使用者の難聴の程度および支配的な音響学的環境状態に従って入力信号を処理する。ディジタル・プロセッサ２の出力は出力トランスデューサ，ここではレシーバ（受話器）３に送られる。
【００１１】
耳管内の音圧レベルは，少なくとも一個の検出手段，ここでは，レシーバとは別であっても，レシーバに組入れられてもよいプローブ・マイクロホン４によって検出される。
【００１２】
同様に，レシーバはプローブ・トランスデューサとして使用され得るし，または，プローブ・マイクロホンと組み合わせても使用され得る。
【００１３】
主として，図面では本発明による方法を実施する補聴器は単一チャネル補聴器として示されているが，本発明は単一チャネル補聴器に限定されることはなく，望ましくはマルチチャネル補聴器にも適用可能なことは明らかである。
【００１４】
また，当然なことに，一個のトランスデュースまたはマイクロホンの代わりに，数個のマイクロホンや入力信号を生成する任意のタイプの入力トランスデューサを設けてもよい。
【００１５】
出力トランスデューサも，例えば鼓膜正面の音響信号のような出力信号を生成する任意のタイプの出力トランスデューサとすることができる。
【００１６】
さらに，必要ならば，アナログ／ディジタル変換器およびディジタル／アナログ変換器，望ましくはシグマ−デルタ変換器の形態のものを設けてもよい。
【００１７】
検出手段，すなわちプローブ・マイクロホン４は直接または間接的に比較手段５に接続される。この目的は後に説明する。さらに，参照（基準）信号プロセッサ６が設けられている。このプロセッサ６は，ここでは，ディジタル信号プロセッサ２の入力側から，またはマイクロホン１の出力から入力信号を受取り，鼓膜正面に現れるべき音響信号または音圧レベルを本来的に示す参照（基準）信号を生成する。
【００１８】
この参照信号プロセッサは，入力信号を，検出手段すなわちプローブ・マイクロホン４の出力に期待される信号に従って，所望の参照信号に変換処理する。したがって，参照信号プロセッサ６は，出力トランスデューサおよび検出手段に関しては，ディジタル信号プロセッサ２と同様に動作する。この処理は回路全体の動作によって調整（調節）可能である。
【００１９】
最後に，望ましくは参照信号プロセッサ６との組み合わせで，補正プロセッサ手段が設けられ，これも比較手段に接続される。
【００２０】
補正プロセッサ７は，出力トランスデューサの入力から検出手段の出力までの信号経路からなる伝達（転送）関数をもって動作する。こような伝達（転送）関数は公知の方法で確立できる。補正プロセッサ７が実行する伝達関数は参照信号プロセッサ６内の全てのまたは一部の関数を形成することができる。
【００２１】
動作において，検出手段４すなわちプローブ・マイクロホンが鼓膜正面の信号または音圧レベルを検出する。プローブ・マイクロホンの出力信号は次に，直接または間接的に比較手段５に与えられる。比較手段５は参照信号プロセッサ６からの参照信号を第２入力信号として受取る。比較手段６においてこれら２つの信号間に実質的な（重大な）差が検出されればエラー信号が生成される。このエラー信号は補正プロセッサ７に送られ，そこで伝達関数に関連して解析される。エラー信号の解析に従って，補正プロセッサ７はディジタル信号プロセッサ２および／または参照信号を適応もしくは変更するために参照信号プロセッサ６の伝達特性を制御する一組のパラメータを変えることが可能である。この目的のために，補正プロセッサ７がディジタル信号プロセッサ２と参照信号プロセッサ６にも接続される。
【００２２】
この解析において，補正プロセッサ７はエラー信号が許容範囲内の値であるか否かを決定する。エラー信号の値が許容範囲外であれば，補正プロセッサはディジタル信号プロセッサ２にその一組のパラメータを変えさせ，最終的に，エラー信号の新しい許容範囲を設定し，および／または参照信号プロセッサ６の処理（プロセス）を適応もしくは補正して参照信号を変更もしくは適応させる。
【００２３】
すなわち，補正プロセッサ７内の伝達関数は改善された伝達関数に変更され，したがって参照信号プロセッサ６の参照信号も改善された参照信号に変更される。次に，ディジタル信号プロセッサ２を制御してレシーバ３の出力が改善された参照信号にできるだけ近似するようにし，当然ながら，望ましくはリアルタイムで，音響信号を上記参照信号に近似するようにする。
【００２４】
言うまでもないが，装置５，６，７間の動作は，対応する位置にアナログ／ディジタル変換器とディジタル／アナログ変換器を設ければ，アナログまたはディジタルで可能である。
【００２５】
参照信号はディジタル信号プロセッサ２への入力信号に基づいて作成または生成され，鼓膜正面に現れるべき音響信号を表すのであるから，出力トランスデューサと，鼓膜正面の耳孔と，検出手段とを含む伝達関数を補正されたバージョンの伝達関数に変えることが必要である。
【００２６】
図１の回路と動作を詳述したので，これ以降の図とそれらの動作については概略を説明する。また，いくつかのプロセッサは実質的に同一であり，同一の参照番号を付す。
【００２７】
システムの変形例のすべて，すなわち，図１に関連して説明した単一チャネルまたはマルチチャネルの補聴器は，必要に応じて変更を加えることにより，図２，３，４に適用されるので，繰り返して説明する必要はないであろう。
【００２８】
図２は発明の方法を実施するための同様な補聴器を示す。この補聴器は入力トランスデューサ１，マイクロホンと，たとえば少なくとも一個のディジタル信号プロセッサ２を含むディジタル・プロセッシング（処理）システムと，出力トランスデューサ３と，検出手段４と，比較手段５と，参照信号プロセッサ６と，望ましくは参照信号プロセッサ６に内蔵される補正プロセッサ手段７とにより構成される。この実施例では，参照信号プロセッサ６内の関数は，部分的または全体的に補正プロセッサ７が実行する伝達関数である。
【００２９】
さらに，出力トランスデューサ３の出力信号にリアルタイムで影響を与えるために，ディジタル信号プロセッサ２の出力と出力トランスデューサ３との間に，修正または補正手段８が設けられ，この補正手段８も，出力トランスデューサへの入力信号を制御するための比較手段５に接続される。
【００３０】
比較手段５において，検出手段の出力信号と参照信号プロセッサおよび補正プロセッサ７の出力信号に差が検出されれば，エラー信号が生成される。このエラー信号もディジタル信号プロセッサ２の出力信号に，したがって出力トランスデューサ３の入力信号に直接影響する。これによって，エラー信号はほぼ直ちに減衰または減少する。
【００３１】
これは，音響信号が補聴器を通して検出手段すなわちプローブ・マイクロホン４に送信されるときにエラーを含んで伝達される結果としてエラー信号が生成された場合には特に有利である。
【００３２】
このエラー信号は，音響信号を耳孔または耳に導入する他の音源，例えば閉塞効果によって生成される場合もあるが，これも直ちに克服されよう。
【００３３】
図３に示される補聴器は，多くの点で，図１および図２に示されるものと非常に似ているので，これらの図に関して挙げた特徴は図３にも当てはまる。
【００３４】
しかしながら，図３の補聴器は上記のものと実質的に異なる点がある。
【００３５】
参照信号プロセッサ６への入力信号はディジタル信号プロセッサ２の出力に得られ，その入力側から得られるのではない。したがって，参照信号プロセッサ６はディジタル信号プロセッサに設けられたような処理能力をエミュレートとする必要はなく，そのために，より簡単な構造にできる。
【００３６】
しかしながら，両システムはそれぞれの利点を持つ。図１および図２のシステムでは，参照信号の生成のために参照信号プロセッサ６内での信号処理により多くの時間がかかる。一方，ディジタル信号プロセッサ２の出力から参照信号プロセッサ６への入力信号を得ることによって，参照信号プロセッサ内での処理時間は短縮される。
【００３７】
最後に，図４は発明の処理を実施するための補聴器の他の実施例を示す。
【００３８】
図４は図１および図２に示すものとその構成において次の点で似ている。参照信号はディジタル信号プロセッサ２の入力側，またはマイクロホン１の出力側においても得られる。
【００３９】
しかしながら，検出手段すなわちプローブ・マイクロホンは，ここでは，プローブ信号プロセッサ９に接続される。このプロセッサ９は，必要ならば，アナログ／ディジタル変換器および周波数特性補正と周波数帯分割のための手段を含んでよい。このような周波数特性補正処理は，参照信号プロセッサ６において個々のプローブ・マイクロホンの特性を補正することを不要にできるので，実に有利である。
【００４０】
図４から分るように，プローブ信号プロセッサ９は補正プロセッサ７によって制御され，調整される。処理後のプローブ・マイクロホン信号と参照信号プロセッサ６からの参照出力とは共に比較手段５に供給される。比較手段５に供給されたこれら２つの信号間に差があれば，図１および図２に関して説明したのと同じやり方で，補正プロセッサ７に影響を与えるためのエラー信号が生成される。
【００４１】
同時に，比較手段５で生成されたエラー信号は補正処理（プロセッシング）手段７を介して伝達関数に影響を与え，これにより，参照信号プロセッサ６内の参照信号が調整され，ディジタル信号プロセッサ２の伝達特性が決定され，最後に，当然ながら，出力トランスデューサすなわちレシーバ３の入力信号，したがって鼓膜正面の耳孔内の音響信号を，調整された参照信号にできる限り近づける。
【００４２】
さらに，プローブ信号プロセッサ９内のアナログ／ディジタル変換と周波数帯分割は，時間遅延が高周波数におけるものに比べてより重要ではないディジタル領域での低周波数要素の同時補正に，極めて有利である。この目的のために，ハイパス・フィルタを用いた入力信号の前処理によって，トーン・シーケンスによる90度の位相シフトを与えて，僅かな時間の後に，時間遅延を実質的に短縮させるように構成してもよい。6000ヘルツの周波数では，実質的な時間短縮は40マイクロ秒程度である。この前処理と補正はディジタル的に実行してもよいし，場合によっては，部分的または全体的に，アナログ比較手段５および／またはアナログ比較手段５からの増幅されたエラー信号により駆動されるアナログ・レシーバ３を用いて実行してもよい。時間遅延の実質的な短縮の効果は，プローブ信号の前処理に時間の余裕を取るために有利に使用され得る。この効果は，特に高周波数において，補正手段８による同時補正が，ある程度継続するトーン信号に対して実質的にリアルタイムで実行される前に，効果がある。このようなトーン信号は，閉塞効果によって生成されるまたは起因する殆どの高周波数のトーンで現れる可能性がある。
【００４３】
一般に，図１において，参照信号源は一つであり，参照信号プロセッサ６は一つであり，比較手段５は一つであり，勿論，検出手段の出力と参照信号プロセッサ６からの参照信号との比較から生成され，補正プロセッサ７内の伝達関数に関連するエラー信号は一つである。当然であるが，複数個のエラー信号を生成する可能性もある。
【００４４】
本発明の望ましい実施例では，補正処理手段７または参照信号プロセッサ６は，耳と補聴器とからなる電気音響学的環境のモデルを含んでよい。この場合には，モデル・プロセッサとして動作する。このようなモデルは一般的に関数として知られている。この関数は，現場での補聴器と耳とを含むシステムに対して各種測定を行って展開される。
【００４５】
図１から図４に関して説明したものと同じ方法により，このモデル関数を，比較手段５で生成されたエラー信号に応じて，または応答して更新することができる。これは，例えばメモリに記憶されたモデル関数を用いて実行できる。しかしながら，新しいパラメータの組み合わせを評価するためにモデル関数を使用するのが望ましい。こうすれば，システムは変化する各種状況および条件に適応できる。これらの変化する状況および条件とは，例えば，時間と共に，鼓膜正面における空間の変化によって，耳孔内のオトプラスティックの周囲の漏れによって変化する要素の値または特性などである。
【００４６】
次に，本発明のプロセスまたは方法に動作を，図５から図８に示されるフローチャートを参照して詳しく説明する。
【００４７】
図５は本発明の方法による補聴器の制御の流れの概念図である。この方法は，ブロックｘ１から始まり，望ましくは比較手段５に与えられる参照信号とプローブ信号の生成に同期する閉ループとして実行される。比較手段５はブロックｘ１，ｘ３，ｘ４により実現される。ブロックｘ２において，プローブ信号がサンプルされ，ブロックｘ３で参照信号が同様にサンプルされる。ブロックｘ４では，サンプルされた信号が比較され，これら２つの信号間に差があれば，その結果，一または複数のエラー信号が生成される。次に，エラー信号はブロックＡに与えられる。ここで，必要であれば，プロセス（処理）と値がエラー信号に従って補正される。エラー信号はブロックＢにも与えられ，ここで，レシーバ３への出力信号が同時に補正される。
【００４８】
ブロックｘ４における比較は，単純な除算でもよいし，サンプル値のフーリェ変換を用いたより複雑な関数でもよいし，各サンプル後に参照信号プロセッサ６およびプローブ信号プロセッサ９からの複数の処理値，例えば，周波数分割またはフーリェ変換後の振幅値をサンプルすることで行ってもよい。時間節約と補正をほぼリアルタイムに実行するために，望ましくは，プローブ信号との，または高周波数での同時補正のための信号との比較からエラー信号を生成するのに簡単な補正プロセスを使用することもできる。上述したように，複雑なプロセス（処理）のためにより多くの時間を確保するために位相シフトを使用して，実質的にリアルタイムの補正を可能にしてもよいが，殆どのプロセス（処理）が参照信号について実行されるのが望ましい。補正プロセスのためのエラー信号を生成するために，参照信号を生成するのに複雑な関数が使用され得る。これは，参照信号が得られる点からの音声信号の処理と，上記プロセスとが，少なくとも同時に実行され得るからである。
【００４９】
同時補正用にエラー信号が生成されると，エラー信号はブロックｚ０において，補聴器の出力信号として供給される前に図６に示すように，さらに処理される。ｚ１とｚ２における更なる処理は周波数と振幅の関数としての補正を行う。ＢからＣへの処理は図５ａにループの一部として示されているが，これは同期処理または同時処理である。この処理は上記ループの一部ではなく，図５ｂに示されるようにエラー信号に対して同時に行なわれるアナログ処理である。
【００５０】
図７は，プロセス補正用に生成されたエラー信号がＡ点を経てブロックｙ１に与えられ，ここで処理される例を図式的に示すものである。このプロセス（処理）は，以前に実行されていなければ，高速フーリェ変換（ＦＦＴ）でもよい。次のブロックｙ２において，音声信号プロセスからのデータがサンプルされ，さらに処理され，ブロックｙ３で，ブロックｙ１からのエラー信号と比較される。この比較により，この音声信号の振幅および／またはエラー信号レベルが補正を実行するのに充分であるか否かが決定され，その周波数帯のために補正が起動されることになる。
【００５１】
この比較は比較的簡単であってもよいし，ＦＦＴから得られた値について実行してもよい。
【００５２】
比較の後，その結果は実際の補正処理ｙ４，Ｄ，ｙ00，およびＥに与えられ，必要であれば，プロセスが補正される。この処理はループとして示され，ブロックｙ４とｙ５は，全ての周波数帯がｙ３からの比較値に基づいてブロックｙ00でテストされたことを確認する。ブロックｙ４は，周波数帯ｆｂのｆｂ＝１からｆｂ＝ｎまでの全ての数ｎにわたって繰返すための「次のループ用」のものである。ブロックｙ５は，「if」機能であり，ｆｂがｎ未満であれば（NO）ループをｙ４に戻し，そうでなければ（YES ）ループを出て，プロセス（処理）をｙ１における外のループに戻すか，Ａ点から起動がかかればこの処理がスタートされる。
【００５３】
図８はブロックｙ00の実行例の概要を示す。ここでは，信号はＤ点を介してブロックｙ６における比較に与えられる。
【００５４】
実際のエラー・レベルが実際の周波数帯ｆｂの範囲内か否かが判定される。範囲内であれば，何もすることはないので，プロセスはＥ点から開放される。しかしながら，エラー・レベルが範囲外で何らかの処理が必要であれば，ブロックｙ７に進み，出力信号レベルとエラー信号レベルとを用いてルックアップ・テーブルへのアドレスが生成される。これらのアドレスを使用して，ルックアップ・テーブルｙ８から値が読み出される。これによって，音響信号プロセスは，対応する読み出された値を用いてブロックｙ９で補正され，参照信号プロセスはブロックｙ10で補正される。エラー信号範囲はブロックｙ11で補正される。この処理は，最後には，終了点であるＥ点に達する。
【００５５】
ブロックｙ７で生成されたアドレスは考慮された周波数帯に関連する実際の値に基づいてもよいし，他の周波数帯の値と実際の設定値との組み合わせでもよい。プローブ・マイクロホン４がレシーバのハウジング内に置かれれば，低周波数帯はリークと音量変更の決定に使用できるし，低周波数帯と残りの周波数帯との利得設定の制御にも使用できる。さらに，指定されかつ所望された必要な変更（変化）が，実際の設定に関して利得設定の実質的な更新（変化）であれば，その変更（変化）は中間ステップにおいて所望の変更（変化）になされなければならない。これは，ルックアップ・テーブルへの中間アドレスによってなされてもよいし，補正プロセッサ７内での計算によってなされてもよい。
【００５６】
ブロックｙ11におけるエラー信号範囲の補正は，全ての信号プロセッサによる組み合わされた補正がエラー信号を固定値，例えばゼロに減少させるものであるならば，省略してもよい。そうでない場合には，異なる実際のエラー信号範囲の設定が使用されるならば，エラー信号を，例えば対数またはデシベル（ｄＢ）のような分数値として処理し，エラー値を補聴器からの出力レベルの変化に比べて比較的安定したものにするのが望ましい。さらに，補聴器からの出力レベルが閾値以下であれば，プロセス補正を動作させずに，聞き取れない弱い音声レベルであって補正に関して意味のある情報を含まない音声レベルであるので，プロセッサによる補正を避けるのが好ましい。
【００５７】
望ましくは，信号処理システムにおけるシミュレーションによって，システムの完全なモデルを構築（確立）する。それによって，例えば，容積変化，リーク，閉塞効果，要素の特性のドリフトなどの変化の原因を推測し，鼓膜正面に所望の聴音感覚を形成するための補正を開始することが可能である。完全モデルは補正プロセスと参照信号プロセスとの組み合わせとして形成してもよい。この場合，補正プロセスは参照信号プロセスを補正するために，および／またはエラー信号を予測するために必要な値を含み，これによりモデルは，参照信号プロセスを変えることなく決定されたモデルとして，または決定された実際のモデルとして動作できる。補正プロセスは，完全モデルと，完全プロセスと同じ出力結果のみを生成する単純化したプロセスとしての参照信号プロセスとを含んでもよい。
【００５８】
上記の例では，補正はルックアップ・テーブルに保存された経験的な実験値と計算値とに基づいて行われているが，殆ど全ての値は，モデルに基づいて計算されたものであることが望ましい。
【図面の簡単な説明】
【図１】  本発明の方法を実施するために使用される補聴器の第１実施例の概念図である。
【図２】  補聴器の第２実施例の概念図である。
【図３】  補聴器の第３実施例を示す。
【図４】  補聴器の第４実施例を示す。
【図５】  ａおよびｂは本発明による補聴器の制御プロセスを概略的に示すフローチャートである。
【図６】  本発明のさらなる処理ステップを示すフローチャートである。
【図７】  エラー信号の処理を概略的に示すフローチャートである。
【図８】  図７のブロックｙ00で実行されるプロセスを概略的に示すフローチャートである。
【図１】
0004247951.tif 000002
【図２】
0004247951.tif 000003
【図３】
0004247951.tif 000004
【図４】
0004247951.tif 000005
【図５ａ】
0004247951.tif 000006
【図５ｂ】
0004247951.tif 000007
【図６】
0004247951.tif 000008
【図７】
0004247951.tif 000009
【図８】
0004247951.tif 000010